(57)【要約】【課題】安価、軽量で取り扱いが簡単で幅広い世代で使用できる競技用手銛とする。【解決手段】発射部で放された柄部の銛先部が標的物に当たり貫通を避けるため、銛先部の先端部が当たり内筒部が外筒部に押し込まれ、補助部が羽根部を先端部方向へ押し上げられ開き固定解除レバー部で固定され、くっつき加工を施した接触面全体で衝撃を受け止め和らげながら標的物をくっつき捕らえる。【選択図】図６
2020179120.tif 000002
【特許請求の範囲】
【請求項１】
本発明は、銛先部・柄部・発射部からなる構造で、発射部が標的物方向へ発射する機能により、発射された柄部へ固定又は着脱可能な銛先部の先端部が、標的物へ当たり内筒部が外筒部へ挿し込まれ補助部が羽根部を押し上げられ開き、くっつき加工を施した接触面全体で衝撃を和らげながら標的物へくっつき捕らえることを特徴とする競技用手銛。
【請求項２】
前記銛先部の羽根部の開きを制御するための固定・解除レバーとする、請求項１に記載の競技用手銛。
【請求項３】
前記柄部の長さが伸縮や継ぎ足しができ非使用時又は運搬時には折り畳みが可能で表面は滑り止め加工がなされている、請求項１〜２の競技用手銛。
【請求項４】
前記発射部の発射機能は、柄部末端に固定又は着脱可能で、標的物へ到達が可能な伸縮性のある素材である、請求項１〜３の競技用手銛。
【発明の詳細な説明】
【技術分野】
【０００１】本発明は、標的物に当たっても貫通しにくい安心安全に使用できる競技用手銛に関するものである。
【背景技術】
【０００２】従来、手銛は木製などの棒状で先端を尖らせたものや、動物の角や金属等の尖らせ鋭利にした矢尻を先端に固定し、更に正確に突けて貫通威力を増すために、尖らせた先端の反対側にゴム等を取り付けて発射機能を加えたもので、海中で魚類を突き捕獲するために漁具として使用されてきた。【０００３】しかし一般的には漁具であるため手銛を取扱うための知識と技能の取得が必要とされている、それをを持っての移動や運搬時、実際に使用する際には、先端が尖っているためいろんな物に穴を開けたり傷をつける恐れがあり自身や周囲に先端が触れることのないように十分な安全確保に配慮をする必要があった。
【発明の概要】
【発明が解決しようとする課題】
【０００４】先端が標的物や身体に当たっても安心安全で容易に幅広い世代で使用できる競技用手銛を実現する。
【課題を解決するための手段】
【０００５】先端部が標的物や身体に当たると先端部に属している羽根部が前方へ開き接触面全体で受け止めて貫通を避けながら衝撃を和らげながら捕らえること。
【発明の効果】
【０００６】本発明は、先端部が標的物や身体に当たると同時のそれに属している羽根部が前方へ開き接触面全体で受け止めて貫通を避けてながら衝撃を和らげ標的物を捕らえるため、手銛の他に矢尻のある弓道、アーチェリー、水中銃などにも有用が可能である。
【図面の簡単な説明】
【０００７】
【図１】図１は競技用手銛の全体図を示した図面である。
【図２】図２は競技用手銛の銛先部を組立図を示した図面である。
【図３】図３は競技用手銛の銛先部の開閉前を示した図面である。
【図４】図４は競技用手銛の銛先部の開閉後を示した図面である。
【図５】図５は競技用手銛の銛先部の動作を示した図面である。
【図６】図６は競技用手銛の使用状態を示した図面代用写真である。（実地例１）
【発明を実施するための形態】
【０００８】以下本発明の競技用手銛の理解を深めるために、具体的な説明する記するが本発明はこれらの個々の提示に限定されるものではなくその技術思考において実現されるものは全て本発明に含まれる。
【０００９】本発明の競技用銛の全体の構造について記載する（図１を参考）
本発明は、銛先部５０、柄部５１、発射部５２での構造からなる。発射部５２は、柄部５１の末端に固定され又は着脱か可能で伸縮性のある素材で、標的物へ向けて銛先部５０柄部５１を到達させる機能を有する。
【００１０】操作方法は輪の中に４本の指を入れたままで柄部５１とを掌握し、柄部５１中央までスライドさせながら伸縮性の素材を引き延ばししっかり握り、定めた標的物に銛先部５０を向けて握りを離すと発射される。
【００１１】柄部５１は、軽量かつ強固な素材で出来ていて、使用しやすいある程度の長さ太さで、長さの伸縮や継ぎ足しができ非使用時又は運搬時には折り畳みが可能で、水中で使用するため表面は真っ平らでも良いが凹凸などの滑りにくいが加工がなされている。
【００１２】銛先部５０は、柄部５１へ一体化されているか又は着脱可能になっていて、着脱では柄部５１と銛先部５０を適切な長さのひも状で繋いでいて、標的物を捕らえた銛先部５０は柄部５１から分離されても繋いでいる状態である。
【００１３】図２は銛先部５０の組立図であり、内筒部１の回転防止溝８に回転防止突起９を合わせながら外筒部２へ挿し込む、図中の点線で示すように内筒部１、外筒部２、固定・解除レバー３、羽根部１０−１２、補助部１３−１５にそれぞれに設けた継手部３１−４９を各々繋ぎ合せてピン１６−２５を差し込んで各々を固定する。
【００１４】固定又は解除レバー３と一体のロックピン部４は第１穴６に浅く入りこむ、ロックピン部４を深く入り込ませるための方法としては、バネ５を外筒部２と固定・解除レバー３の間へ入れ込み固定する。
【００１５】回転防止溝８と回転防止突起９については、内筒部１と外筒部２のどちらかが回転を防ぐためであるためにこれかぎりではなくそれ相当の構造であれば他でも良い。
【００１６】図３は、羽根部１０−１２が閉じた状態であり、第１穴６に浅く入りこんだ固定・解除レバー３と一体のロックピン部４は、外筒部２に浅く挿し込まれていて内筒部１の表面に接触している、そのためバネ５が縮んでいる。（２）正面図、（３）側面図である。
【００１７】（３）側面図中の点線ａは、先端部２６羽根部１２補助部１５外筒部２の継手部を繋いだ複数の関節は一直線上ではないことを示す、２６先端部へ標的物へ当たる際に羽根部１０−１２がスムーズに開くためと羽根部１０−１２補助部１３−１５が湾曲させることも含めて衝撃の分散するためとした。
【００１８】図４は、羽根部１０−１２が開いた状態であり、内筒部１は外筒部２に深く挿し込まれた際に重なり合った第２穴７と第１穴６に、固定・解除レバー３と一体のロックピン部４はバネ５により深く挿し込まれ外筒部２から内筒部１が抜けないように固定されている。（２）正面図（３）側面図である。
【００１９】図５は動作を説明するが、柄部５１と発射部５２の図は省略します。
（１）は、矢印２８の通りに標的物２７へ向けて発射部５２の発射機能により柄部５１と一緒に放された銛先部５０である。
【００２０】（２）は、標的物２７へ先端部２６が当たり内筒部１が外筒部２へ挿し込まれ補助部１３−１５が羽根部１０−１２を先端部２６側へ押し上げ２９ａｂたあと、第２穴７と第１穴６が重なり合いバネ５で固定解除レバー３が起き上がり３０ロックピン部４が重なりあった第２孔７と第１孔６へ完全に挿し込まれロックされ、内筒部１は外筒部２から抜けない状態になった。
【００２１】標的物２７へ接触する先端部２６や羽根部１０−１２の表面は、標的物２７にくっつき続ける状態を有していることで標的物２７を確保することができる。
【００２２】固定解除レバー３を元に戻すことで解除ができ、解除しながら先端部２６を掴み内筒部１を引き出し２７標的物２７へ当てる前の状態に戻せることもできる。
【００２３】銛先部５０は、軽量かつ強固で腐食しにくい材質を使用しながらも、羽根部１０−１２の形状や数量も変えたり、柔らかな材質も使用することで異なった標的物を挟むことや掴むことなども可能とする。
【実施例１】
【００２４】図６は本発明の競技用手銛の使用状態を示し、標的物２７へ先端部２６が当たり内筒部１が外筒部２へ挿し込まれ補助部１３−１５が羽根部１０−１２を先端部２６側へ押し上げ２９ａｂ、第２穴７と第１穴６が重なり合いバネ５で固定解除レバー３が起き上がり３０ロックピン部４が重なりあった第２孔７と第１孔６へ完全に挿し込まれロックされる。【００２５】内筒部１は外筒部２から抜けないで、先端部２６や羽根部１０−１２の表面は、くっつき続ける素材で表面加工を施し標的物２７を確保することができる。【００２６】使用する標的物２７は人工的な魚類などでも良く、海中又は水中で浮いているか自動制御又は遠隔操作によって海中又は水中で回遊が可能であるものを使用する。
【産業上の利用可能性】
【００２７】本発明の競技用手銛は安価、軽量かつ容易で安心安全に幅広い世代で、余暇活動やスポーツ性や海洋レジャーといった海、屋内外プールで季節に関係なく使用する事ができる。
【符号の説明】
【００２８】１  内筒部
２  外筒部
３  固定・解除レバー
４  ロックピン部
５  バネ
６  第１穴
７  第２穴
８  回転防止溝
９  回転防止突起
１０〜１２  羽根部
１３〜１５  補助部
１６〜２５  ピン
２６  先端部
２７  標的物
２８  進行方向
２９ａ  開き方向
２９ｂ  開き方向
３０  レバー回転方向
３１〜４９  継手部
５０  銛先部
５１  柄部
５２  発射部
【図１】
2020179120.tif 000003
【図２】
2020179120.tif 000004
【図３】
2020179120.tif 000005
【図４】
2020179120.tif 000006
【図５】
2020179120.tif 000007
【図６】
2020179120.tif 000008